(57)【要約】      （修正有）【課題】「ＰＣＢ廃棄物収集・運搬ガイドライン」には、ＰＣＢの漏洩、漏出は目視あるいは１検体毎に分析機関による高額な費用をかけた分析しかなく作業従事者がＰＣＢ暴露による健康被害の防止及び、周辺の環境に対する悪影響を防止する事ができない。【解決手段】ＰＣＢ廃棄物からのＰＣＢの漏洩、漏出を判別する方法としてＰＣＢに青色光を照射し更に紫外線をかさねて照射する事でＰＣＢが黄緑色から黄赤色間において発色する事を確認した、この発色する特徴を利用し簡易に安価な判別方法を提供する。【選択図】図１
2008145408.tif 000002
【特許請求の範囲】
【請求項１】
ＰＣＢ廃棄物等からＰＣＢが漏洩、漏出しているかどうかの判断方法は目視かあるいは高額な検査費用をかけて１検体毎に調べるしか方法がなく現実的手法とは言えないそこで、青色光を照射し更に紫外線を照射する事により黄緑色から黄赤色間においてＰＣＢが発色する事を発見した、この発見を基にＰＣＢの漏洩、漏出を判断する判別方法を簡易で安価に提供するものである。
【発明の詳細な説明】
【技術分野】
【０００１】  本発明は、ＰＣＢ廃棄物等からのＰＣＢの漏洩、漏出を簡易に安価で判別する事が出来る技術に関するものである。
【背景技術】
【０００２】  平成１６年３月に定められた「ＰＣＢ廃棄物収集・運搬ガイドライン」によると第２章収集・運搬の２，２収集・運搬の方法２，２，２の４等に目視による点検、とあり表２．１収集運搬中等に漏洩があった場合の対応方法（例）にも事前調査において１、目視にてＰＣＢ廃棄物の漏洩状態を確認とある、又、その他の方法としては１検体毎に分析機関による高額な費用をかけた分析を行う方法しかない。【０００３】  ＰＣＢ廃棄物等の保管、収集・運搬、処理において最も考慮すべき点はＰＣＢ廃棄物からのＰＣＢ漏洩、漏出による作業従事者のＰＣＢ暴露防止及び周辺の環境保全である。【０００４】  だが、現在国の「ＰＣＢ特措法」あるいは「ＰＣＢ廃棄物収集・運搬ガイドライン」にもあるように目視あるいは高額な費用をかけた分析しかＰＣＢの漏洩、漏出を判断できないのが現状であり安全性を高める為に簡易で安価な方法で判断ができるように考慮すべき余地がある。
【発明の開示】
【発明が解決しようとする課題】
【０００５】  ＰＣＢ廃棄物からのＰＣＢ漏洩、漏出をいかに簡易に安価で判断する方法を開発するかであり、又、新判別方法を開発する事により作業従事者の安全、及び環境保全に大きくに寄与する。
【課題を解決するための手段】
【０００６】  また、技術的な側面からいうと青色光には青色ＬＥＤ等を使用し紫外線発生ランプは、２５４ｎｍから３７２ｎｍ迄の３種類の紫外線を使用し各紫外線ランプ１台に対し青色ＬＥＤ等発光装置２台を１セットとし３セットで一台の判別装置とする。【０００７】  一定のコスト制約の中でいかに性能の確保及び簡単な操作で作業をする事ができるか又、効率よく漏洩、漏出の判別作業を進められるかが求められている。【０００８】  前記目的を達成して課題を解決するため本発明においては、現在はＰＣＢの漏洩、漏出の判断は目視による判別か高額な費用をかけた分析方法しかない、そこでＰＣＢ廃棄物に青色光と紫外線を照射する事により、ＰＣＢが黄緑色から黄赤色間において発色する事を利用し新たな判別方法を提供するものである。
【発明の効果】
【０００９】  例えば、ＰＣＢ廃棄物の保管、収集・運搬、処理作業に関係する作業従事者は多人数でありＰＣＢの漏洩、漏出が判断できなければＰＣＢ暴露による健康被害も考えられる又、周辺環境汚染に直結する事でもある。【００１０】  例えば、ＰＣＢ廃棄物からＰＣＢの漏洩、漏出が簡易に安価で確認出来れば特願２００２−１７６６８８で出願している［廃化学物質類・有害化学物質類等の梱包方法］にて密封し外気とＰＣＢを遮断する事ができ作業従事者の安全及び、環境保全にも有意義である。【００１１】  前記目的を達成して課題を解決するため本発明においては、現在はＰＣＢの漏洩、漏出の判断は目視による判別か高額な費用をかけた分析方法しかない、そこでＰＣＢ廃棄物に青色光と紫外線を照射する事により、ＰＣＢが黄緑色から黄赤色間において発色する事を利用し新たな判別方法を提供するものである。
【発明を実施するための最良の形態】
【００１２】  本発明における判別方法は４装置取付板に取り付けた１青色発光装置２台と２紫外線発生ランプ１台を１セットとし紫外線の波長が違う３セットを１組として各１回の判別を行い黄緑色から黄赤色間での発色が出現するかどうかを確認し発色が出現した検体は特願２００２−１７６６８８で出願している「廃化学物質類・有害廃棄物質類等の梱包方法」において密封し外気とＰＣＢの遮断を行い金属容器又は、収納容器等に収納し密閉する、１青色発光装置は一般的に使用されている電球用照明器具を使用する事でよく２紫外線発生装置とは一般的に使用されている蛍光灯照明器具であり、蛍光灯ランプを紫外線発生用ランプに取替使用する事でよい、又、携帯型として１セット毎に３種類としてもよい。
【実施例１】
【００１３】  以下添付図面に基づいて本発明の照明用安定器によるＰＣＢの漏洩、漏出を判断する実施例を説明する。
図１は、本発明の実施例の正面図で本発明に係わる装備の配置である。
１２作業台に６固定金具において５装置保持用脚をしっかりと固定する６固定金具上に１１検体台に１０照明用安定器等を置き３紫外線カットコーティングガラス等を４装置取付板に取り付けてある８蝶番に接続する。【００１４】  検体である１０照明用安定器他等に発色が認められた場合は安全衛生対策要綱に定められている対策をとり安全確保を行い特願２００２−１７６６８８で出願している「廃化学物質類・有害廃棄物質類等の梱包方法」において密封し外気とＰＣＢの遮断を行い金属容器又は、収納容器に収納し密閉する。
【図面の簡単な説明】
【００１５】  図２は平面図である。
７装置保持材に４装置取付板をボルト他等により接続する、４装置取付板には１青色発光装置、２紫外線発生ランプ、９青色発光装置、紫外線発生ランプ切替装置を取付ておき４装置取付板に３紫外線カットコーティングガラス等を接続する８蝶番を取り付ける。【００１６】  図３は側面図である。
５装置保持用脚に４装置取付板をボルト他等により接続された７装置保持材をしっかり接続する又は、５装置保持用脚と７装置保持材は一体化していてもかまわない、５装置保持用脚を６固定金具にて１２作業台に固定する、６固定金具間に１１検体台を乗せる、１１検体台は板状になっていれば材質は問わない、３紫外線カットコーティングガラス等を４装置取付板に取り付けてある８蝶番に接続し１１検体台に、１０照明用安定器他等を数台配置し９青色発光装置、紫外線発生ランプ切替装置において青色光と紫外線を照射し黄緑色から黄赤色の発色が出現するかを確認する、発色が出現した場合は即座に安全衛生対策要綱に定められている対策をとり特願２００２−１７６６８８で出願している「廃化学物質類・有害廃棄物類等の梱包方  法」において密封し外気とＰＣＢの遮断と行い金属容器又は収納容器等に収納し密閉する。
【符号の説明】
【００１７】  １．  青色発光装置
２．  紫外線発生装置
３．  紫外線カットコーティングガラス等
４．  装置取付板
５．  装置保持用脚
６．  固定金具
７．  装置保持材
８．  蝶番
９．  青色発光装置、紫外線発生ランプ切替装置
１０．  照明用安定器他等
１１．  検体台
１２．  作業台
【図１】
2008145408.tif 000003
【図２】
2008145408.tif 000004
【図３】
2008145408.tif 000005
【手続補正書】
【提出日】平成19年3月6日(2007.3.6)
【手続補正１】
【補正対象書類名】明細書
【補正対象項目名】００１３
【補正方法】削除
【補正の内容】
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
【図１】は正面図である。
【図２】は平面図である。
【図３】は側面図である。
【手続補正４】
【補正対象書類名】明細書
【補正対象項目名】００１６
【補正方法】変更
【補正の内容】
【００１６】  ［図１］は、本発明の実施例の正面図で本発明に係わる装備の配置である。
１１作業台に６固定金具において５装置保持用脚をしっかりと固定する６固定金具上に１０検体台に９照明用安定器等を置き３紫外線カットコーティングガラス等を４装置取付板に取り付けてある７蝶番に接続する。
［図２］は、５装置保持用脚に４装置取付板をボルト他等により接続する、４装置取付板には１青色発光装置、２紫外線発生ランプ、８青色発光装置、紫外線発生ランプ切替装置を取付ておき４装置取付板に３紫外線カットコーティングガラス等を接続する７蝶番を取り付ける。
［図３］は、５装置保持用脚に４装置取付板をボルト他等により接続する、５装置保持用脚と４装置取付板は一体化していてもかまわない、５装置保持用脚を６固定金具にて１１作業台に固定する、６固定金具間に１０検体台を乗せる、１０検体台は板状になっていれば材質は問わない、３紫外線カットコーティングガラス等を４装置取付板に取り付けてある７蝶番に接続し１０検体台に、９照明用安定器他等を数台配置し８青色発光装置、紫外線発生ランプ切替装置において青色光と紫外線を照射し黄緑色から黄赤色の発色が出現するかを確認する、発色が出現した場合は即座に安全衛生対策要綱に定められている対策をとり特願２００２−１７６６８８で出願している「廃化学物質類・有害廃棄物類等の梱包方法」において密封し外気とＰＣＢの遮断と行い金属容器又は収納容器等に収納し密閉する。
【手続補正５】
【補正対象書類名】明細書
【補正対象項目名】００１７
【補正方法】変更
【補正の内容】
【００１７】  １．  青色発光装置
２．  紫外線発生装置
３．  紫外線カットコーティングガラス等
４．  装置取付板
５．  装置保持用脚
６．  固定金具
７．  蝶番
８．  青色発光装置、紫外線発生ランプ切替装置
９．  照明用安定器他等
１０．  検体台
１１．  作業台
【手続補正６】
【補正対象書類名】図面
【補正対象項目名】全図
【補正方法】変更
【補正の内容】
【図１】
2008145408.tif 000006
【図２】
2008145408.tif 000007
【図３】
2008145408.tif 000008